(57)【要約】【課題】  地図原稿の種類に応じた好適な複写画像を得る。【解決手段】  地図として作成された地図原稿を原稿読取部５によって読み取り、この地図原稿の読み取りによって得られた原稿画像の濃度分布特性（ヒストグラム）をヒストグラム作成部１１１によって作成する。ヒストグラム作成部１１１によって作成した濃度分布特性に基づいて、読み取った地図原稿が日本製地図であるか外国製地図であるかを原稿特性判別部１０２によって判定し、この判定結果に応じて、原稿画像に対するエッジ強調の度合いを変更したエッジ強調処理をエッジ強調処理部１１２によって行う。そして、このエッジ強調処理を施した原稿画像を記録部４０によって用紙に印刷する。【選択図】    図２
2005079787.tif 000002
【特許請求の範囲】
【請求項１】
地図として作成された地図原稿の読み取りを行う読み取り手段と、
前記読み取り手段によって読み取られた原稿画像の濃度分布特性を作成する濃度分布特性作成手段と、
前記濃度分布特性作成手段によって作成された濃度分布特性に基づいて、前記地図原稿の特性を判別する原稿特性判別手段と、
前記原稿特性判別手段による判別結果に応じて、前記原稿画像に対するエッジ強調の度合いを変更して該原稿画像に対するエッジ強調処理を行うエッジ強調処理手段と、
前記エッジ強調処理手段によってエッジ強調処理が施された原稿画像を用紙に印刷する印刷手段とを備えることを特徴とする画像処理装置。
【請求項２】
前記原稿特性判別手段は、前記濃度分布特性における全濃度成分に対する中濃度成分から高濃度成分までの割合が低濃度成分の割合より高い場合に前記地図原稿を濃い色の地図原稿である第１の地図原稿と判定し、かつ、前記中濃度成分から高濃度成分までの割合が低濃度成分の割合より低い場合に前記地図原稿を淡い色の地図原稿である第２の地図原稿と判定し、
前記エッジ強調処理手段は、前記第１の地図原稿の原稿画像に対し、前記第２の地図原稿の原稿画像に対するエッジ強調の度合いよりも小さい度合いのエッジ強調となるエッジ強調処理を行うことを特徴とする請求項１記載の画像処理装置。
【請求項３】
前記濃度分布特性は、前記原稿画像における画像の濃度と該濃度に対する度数との情報を有するヒストグラムであり、
前記原稿特性判別手段は、前記ヒストグラムにおける度数の総計を示す全体度数に対する前記ヒストグラムにおける所定濃度未満の度数の合計を示す部分度数の割合が所定値未満である場合の地図原稿を前記第１の地図原稿と判定し、かつ、前記全体度数に対する前記部分度数の割合が所定値未満でない場合の地図原稿を前記第２の地図原稿と判定することを特徴とする請求項２記載の画像処理装置。
【請求項４】
前記濃度分布特性作成手段は、前記原稿画像からシアン、マゼンタ及びイエローの各色
に対する前記ヒストグラムを作成し、
前記原稿特性判別手段は、前記各色に対するヒストグラムに基づいて前記割合が所定値未満であるか否かの判別を各色に対して行い、前記割合が所定値未満であると判別された色の数が２以上の場合に前記地図原稿を前記第１の地図原稿と判定し、その他の場合に前記地図原稿を前記第２の地図原稿と判定することを特徴とする請求項３記載の画像処理装置。
【請求項５】
前記第１及び第２の地図原稿それぞれの原稿画像に対するガンマ補正処理を行うガンマ補正処理手段をさらに備えることを特徴とする請求項２〜４のいずれかに記載の画像処理装置。
【請求項６】
前記第１の地図原稿は、外国製地図であり、前記第２の地図原稿は、日本製地図であることを特徴とする請求項２〜５のいずれかに記載の画像処理装置。
【発明の詳細な説明】
【技術分野】
【０００１】
本発明は、複写機等に搭載される画像処理装置に関し、特に、原稿が地図原稿である場合に、この地図原稿の特性に応じた画像処理を行う画像処理装置に関する。
【背景技術】
【０００２】
従来、カラー複写機などにおいては、種々の原稿が複写対象となるが、地図原稿もそのうちの１つである。この地図原稿の複写を行う場合、例えばコントラストをつけて複写した方が地図の視認性がよくなるため、強めのエッジ強調フィルタを用いた画像処理を行うなどして、地図中の細かな文字等の視認性を良くして地図原稿に対する複写物の品質向上を図っていた（例えば、特許文献１）。
【特許文献１】特開平９−６５１４３号公報
【発明の開示】
【発明が解決しようとする課題】
【０００３】
ところで、一般的に、日本製地図は所謂淡い色使いで印刷されたものが多く、この日本製地図に対しては、上記強めのエッジ強調フィルタを用いても特に問題はないが、欧州など海外でよく見られる濃い色使いで印刷された地図（以降、外国製地図という）に対しては、例えばエッジ強調の度合いが強すぎて当該外国製地図の複写画像が見にくくなってしまうことが多かった。
【０００４】
本発明は上記事情に鑑みてなされたもので、地図原稿の種類に応じた好適な複写画像を得ることができる画像処理装置を提供することを目的とする。
【課題を解決するための手段】
【０００５】
請求項１記載の発明は、地図として作成された地図原稿の読み取りを行う読み取り手段と、前記読み取り手段によって読み取られた原稿画像の濃度分布特性を作成する濃度分布特性作成手段と、前記濃度分布特性作成手段によって作成された濃度分布特性に基づいて、前記地図原稿の特性を判別する原稿特性判別手段と、前記原稿特性判別手段による判別結果に応じて、前記原稿画像に対するエッジ強調の度合いを変更して該原稿画像に対するエッジ強調処理を行うエッジ強調処理手段と、前記エッジ強調処理手段によってエッジ強
調処理が施された原稿画像を用紙に印刷する印刷手段とを備えることを特徴とする画像処理装置である。
【０００６】
請求項２記載の発明は、上記請求項１記載の画像処理装置において、前記原稿特性判別手段は、前記濃度分布特性における全濃度成分に対する中濃度成分から高濃度成分までの割合が低濃度成分の割合より高い場合に前記地図原稿を濃い色の地図原稿である第１の地図原稿と判定し、かつ、前記中濃度成分から高濃度成分までの割合が低濃度成分の割合より低い場合に前記地図原稿を淡い色の地図原稿である第２の地図原稿と判定し、前記エッジ強調処理手段は、前記第１の地図原稿の原稿画像に対し、前記第２の地図原稿の原稿画像に対するエッジ強調の度合いよりも小さい度合いのエッジ強調となるエッジ強調処理を行うことを特徴とする。
【０００７】
請求項３記載の発明は、上記請求項２記載の画像処理装置において、前記濃度分布特性は、前記原稿画像における画像の濃度と該濃度に対する度数との情報を有するヒストグラムであり、前記原稿特性判別手段は、前記ヒストグラムにおける度数の総計を示す全体度数に対する前記ヒストグラムにおける所定濃度未満の度数の合計を示す部分度数の割合が所定値未満である場合の地図原稿を前記第１の地図原稿と判定し、かつ、前記全体度数に対する前記部分度数の割合が所定値未満でない場合の地図原稿を前記第２の地図原稿と判定することを特徴とする。
【０００８】
請求項４記載の発明は、上記請求項３記載の画像処理装置において、前記濃度分布特性作成手段は、前記原稿画像からシアン、マゼンタ及びイエローの各色に対する前記ヒストグラムを作成し、前記原稿特性判別手段は、前記各色に対するヒストグラムに基づいて前記割合が所定値未満であるか否かの判別を各色に対して行い、前記割合が所定値未満であると判別された色の数が２以上の場合に前記地図原稿を前記第１の地図原稿と判定し、その他の場合に前記地図原稿を前記第２の地図原稿と判定することを特徴とする。
【０００９】
請求項５記載の発明は、上記請求項２〜４のいずれかに記載の画像処理装置において、前記第１及び第２の地図原稿それぞれの原稿画像に対するガンマ補正処理を行うガンマ補正処理手段をさらに備えることを特徴とする。
【００１０】
請求項６記載の発明は、上記請求項２〜５のいずれかに記載の画像処理装置において、前記第１の地図原稿は、外国製地図であり、前記第２の地図原稿は、日本製地図であることを特徴とする。
【発明の効果】
【００１１】
請求項１記載の発明によれば、地図として作成された地図原稿が読み取り手段によって読み取られ、この読み取られた原稿画像の濃度分布特性が濃度分布特性作成手段によって作成される。濃度分布特性作成手段によって作成されたこの濃度分布特性に基づいて、地図原稿の特性が原稿特性判別手段によって判別され、この判別結果に応じて、原稿画像に対するエッジ強調の度合いを変更した当該原稿画像に対するエッジ強調処理がエッジ強調処理手段によって行われる。そして、このエッジ強調処理が施された原稿画像が印刷手段によって用紙に印刷される。このように、読み取られた地図原稿の特性に基づいてエッジ強調処理が行われて原稿画像の印刷が行われるため、地図原稿の種類に応じた好適な複写画像を得ることができる。
【００１２】
請求項２記載の発明によれば、原稿特性判別手段によって、濃度分布特性における全濃度成分に対する中濃度成分から高濃度成分までの割合が低濃度成分の割合より高い場合に、地図原稿が、濃い色の地図原稿である第１の地図原稿と判定され、かつ、中濃度成分から高濃度成分までの割合が低濃度成分の割合より低い場合に、地図原稿が、淡い色の地図原稿である第２の地図原稿と判定される。そして、この第１の地図原稿の原稿画像に対し、第２の地図原稿の原稿画像に対するエッジ強調の度合いよりも小さい度合いのエッジ強調となるエッジ強調処理がエッジ強調処理手段によって行われる。
【００１３】
このように、低濃度成分の割合に対する中濃度成分から高濃度成分までの割合の高低に基づいて、第１の地図原稿と第２の地図原稿とが区別されるため、地図原稿の種類の判定を容易に行うことができる。また、第１の地図原稿の原稿画像に対して、第２の地図原稿に対してよりも度合いが小さいエッジ強調処理が行われるため、濃い色の地図原稿（第１の地図原稿）の複写画像の視認性が、当該エッジ強調処理によって低下することを防止できる。
【００１４】
請求項３記載の発明によれば、原稿特性判別手段によって、ヒストグラムにおける度数の総計を示す全体度数に対する当該ヒストグラムにおける所定濃度未満の度数の合計を示す部分度数の割合が、所定値未満である場合の地図原稿が第１の地図原稿と判定され、かつ、所定値未満でない場合の地図原稿が第２の地図原稿と判定される。よって、ヒストグラムを用いて、地図原稿の種類の判定をより容易に行うことができる。
【００１５】
請求項４記載の発明によれば、濃度分布特性作成手段によって作成されたシアン、マゼンタ及びイエローの各色に対するヒストグラムに基づいて、全体度数に対する部分度数の割合が所定値未満であるか否かの判別が各色に対して原稿特性判別手段によって行われ、当該割合が所定値未満であると判別された色の数が２以上の場合に第１の地図原稿と判定され、その他の場合に第２の地図原稿と判定される。よって、これらシアン、マゼンタ及びイエローといった複数のヒストグラムを用いて、地図原稿の種類の判定をより確実に行うことができる。
【００１６】
請求項５記載の発明によれば、エッジ強調処理に加えて、第１及び第２の地図原稿それぞれの原稿画像に対するガンマ補正処理も施すことができるため、地図原稿の種類に応じた、より好適な複写画像を得ることができる。
【００１７】
請求項６記載の発明によれば、第１の地図原稿は外国製地図であり、前記第２の地図原稿は日本製地図であるため、地図原稿を当該外国製地図と日本製地図とに区別できる。
【発明を実施するための最良の形態】
【００１８】
以下、本発明に係る画像処理装置の一例としての複写機について図面を参照しながら説明する。図１は、本発明の一実施形態に係る画像処理装置の一例である複写機１の内部構成を概略的に示す断面図である。複写機１は、本体部２と、本体部２の左方に配設されたスタックトレイ３と、本体部２の上部に配設された原稿読取部５と、原稿読取部５の上方に配設された原稿給送部６とを備えている。また、複写機１のフロント部には、ユーザが印刷実行指示を入力するためのスタートキー４７１と、印刷部数等を入力するためのテンキー４７２と、各種複写動作の設定等を入力するための操作ガイド情報等が表示されるともに、各種操作指令を入力するための種々の操作ボタン（例えば、後述する地図モードの設定に関する入力を行うための地図モードボタン）等が表示される液晶表示器（ＬＣＤ）等からなる表示器４７３（ディスプレイ）とを備えた操作部４７が設けられている。
【００１９】
原稿読取部５は、ＣＣＤ（Charge Coupled Device）センサ及び露光ランプ等からなるスキャナ５１と、ガラス等の透明部材により構成された原稿台５２（プラテンガラス）及び原稿読取スリット５３とを備える。スキャナ５１は、図略の駆動部によって移動可能に構成され、原稿台５２に載置された原稿を読み取る場合には原稿台５２に対向する位置に移動され、原稿画像を走査しつつ取得した画像データを後述する制御部１０（あるいは、画像メモリ７、ＨＤＤ８又は画像処理部１１）へ出力する。また、スキャナ５１は、原稿給送部６により搬送された原稿を読み取る場合には原稿読取スリット５３と対向する位置に移動され、原稿読取スリット５３を介して原稿給送部６による原稿の搬送動作と同期して原稿の画像を取得し、当該画像に対する画像データを制御部１０へ出力する。
【００２０】
原稿給送部６は、原稿を載置するための原稿載置部６１と、画像読み取り後の原稿を排出するための原稿排出部６２と、原稿載置部６１に載置された原稿を１枚ずつ順に繰り出して原稿読取スリット５３に対向する位置へ搬送し、原稿排出部６２へ排出するための給紙ローラ及び搬送ローラ等からなる原稿搬送機構６３を備える。また、原稿給送部６は可倒式に構成されており、原稿台５２の上面を開放するように上方に持ち上げることによって、原稿台５２の上面に、読み取り原稿、例えば見開き状態にされた地図原稿等を載置することが可能に構成されている。
【００２１】
本体部２は、それぞれサイズが異なる用紙を収納する複数の給紙カセット４６１と、給紙カセット４６１から用紙を１枚ずつ繰り出して後述する記録部４０へ搬送する給紙ローラ４６２と、給紙カセット４６１から搬送されてきた用紙に、モノクロ画像又はカラー画像を形成する記録部４０とを備えている。
【００２２】
記録部４０は、スキャナ５１で取得された画像データに基づいてレーザ光を出力して感光体ドラム４３を露光し、当該感光体ドラム４３の表面に静電潜像を形成する光学ユニット４２と、上記静電潜像に基づいて感光体ドラム４３上に、シアン（Ｃ）、マゼンタ（Ｍ）、イエロー（Ｙ）及びブラック（Ｋ）の各色のトナー像を形成する画像形成部４４と、感光体ドラム４３上のトナー像を用紙に転写する転写部４１と、トナー像が転写された用紙を加熱してトナー像を用紙に定着させる定着部４５と、記録部４０内の用紙搬送路中に設けられた搬送ローラ等によって用紙を搬送してスタックトレイ３又は排出トレイ４８へ排出する用紙搬送装置４６とを備えている。なお、上記シアン、マゼンタ、イエロー及びブラックの各色に対するトナーの供給は、図略のトナー供給容器（トナーカートリッジ）から行われる。
【００２３】
図２は、図１に示す複写機１の概略構成を示すブロック図である。複写機１は、装置全体の動作制御を司る制御部１０を備えており、この制御部１０は、スキャナ５１等からなる原稿読取部５、原稿搬送機構６３等からなる原稿給送部６、画像形成部４４等からなる記録部４０、スタートキー４７１、テンキー４７２等の操作キーや表示器４７３等からなる操作部４７、画像メモリ７、ＨＤＤ８、ネットワークＩ／Ｆ部９及び画像処理部１１が接続されている。
【００２４】
画像メモリ７は、原稿読取部５によって読み取られた地図原稿等の原稿の画像データ、あるいは、後述するネットワークＩ／Ｆ部９を介して図略の外部装置から送信されてきた画像データを一時的に記憶するメモリである。
【００２５】
ＨＤＤ（Hard Disk Drive）８は、原稿読取部５によって読み取られた画像データ及び外部装置から送信されてきた画像データ並びに当該画像データに設定されている出力形式
等が記憶される記憶装置である。
【００２６】
ネットワークＩ／Ｆ部９は、ネットワークインタフェース（例えば10/100Base-TX）等を用い、ＬＡＮなどのネットワークを介して接続された外部装置との間における種々のデータの送受信を行うものである。
【００２７】
画像処理部１１は、原稿読取部５による原稿の読み取りによって得られた原稿画像（画像データ）に対する各種画像処理を行うものである。画像処理部１１では、例えば原稿読取部５によって読み取られた原稿画像に対する画像データのＡ／Ｄ変換が行われ、当該Ａ／Ｄ変換された画像データを用いて上記各種画像処理が行われる。画像処理部１１は、ヒストグラム作成部１１１、エッジ強調処理部１１２及びガンマ補正処理部１１３を備えている。
【００２８】
ヒストグラム作成部１１１は、原稿読取部５による地図原稿の読み取りによって得られた原稿画像から、当該原稿画像の濃度分布特性を示すヒストグラムを作成するものである。ヒストグラム作成部１１１は、原稿読取部５において地図原稿の原稿画像がＲＧＢデータ化された画像、すなわち、フルカラーの原稿画像から、Ｒ（赤）成分だけ抽出された画像（Ｒチャンネル）、Ｇ（緑）成分だけ抽出された画像（Ｇチャンネル）、及びＢ（青）成分だけ抽出された画像（Ｂチャンネル）のデータ（各画素データが有する輝度情報）に基づいて、地図原稿の構成色であるシアン、マゼンタ及びイエローの各色に対するヒストグラムを作成する。
【００２９】
図４は、日本製地図に対するヒストグラム、図５は、外国製地図の一例である欧州製地図に対するヒストグラムの一例を示す図であり、図４、５共に、（ａ）は、シアンのヒストグラム、（ｂ）は、マゼンタのヒストグラム、（ｃ）は、イエローのヒストグラムを示している。各ヒストグラムの横軸は、画像の濃度を示し、縦軸は、濃度に対する度数（頻度）、すなわち、当該濃度を有する画素データ（ピクセル）の数（要素数）を示している。
【００３０】
ところで、図４、５の各ヒストグラムの横軸に示すように、シアン、マゼンタ及びイエロー各色の濃度を低濃度（濃度値「０」）から高濃度（濃度値「２５５」）まで２５６段階の濃度で示し、この場合、濃度値「０」を最低濃度とし、濃度値「２５５」を最高濃度とする。ただし、上記ヒストグラムの横軸における、この濃度値（０〜２５５）における最低濃度・最高濃度の位置は、一般にいうＲＧＢ各光成分に対する２５６階調の濃度階調値（０階調〜２５５階調）における最大輝度（２５５階調）・真黒（０階調）の位置とは逆になっている。すなわち、図４、５のヒストグラムの横軸に示す濃度値「０」は、上記濃度階調値における「２５５階調」に相当し、濃度値「２５５」は、上記濃度階調値における「０階調」に相当する。
【００３１】
ヒストグラム作成部１１１によって作成されるヒストグラムは、地図原稿が日本製地図である場合には、図４に示すようなヒストグラムとなり、外国製地図（欧州製地図）である場合には、図５に示すようなヒストグラムとなる。
【００３２】
エッジ強調処理部１１２は、画像に含まれている輪郭部分の濃度勾配を急峻にして（コントラストを強調して）画像をシャープにする所謂エッジ強調を行うためのエッジ強調フィルタを用いて、原稿画像に対するエッジ強調処理を行うものである。図６は、エッジ強調フィルタの一例を示す図であり、（ａ）は、日本製地図に対するエッジ強調フィルタを示し、（ｂ）は、外国製地図（欧州製地図）に対するエッジ強調フィルタを示している。
【００３３】
エッジ強調処理部１１２は、原稿読取部５によって読み取られた地図原稿が日本製地図である場合には、この地図原稿の原稿画像に対して、図６（ａ）に示すような、エッジ強調の度合いが大きくなる（強めのエッジ強調となる）エッジ強調フィルタを用いたエッジ強調処理を行い、地図原稿が外国製地図である場合には、図６（ｂ）に示すような、エッジ強調の度合いが小さくなる（弱めのエッジ強調となる）エッジ強調フィルタを用いたエッジ強調処理を行う。このように、地図原稿の種類に応じてエッジ強調フィルタを使い分けることにより、淡い色使いの日本製地図に対しては、よりエッジ強調がなされるように度合いの大きなエッジ強調処理を行うことができ、濃い色使いの外国製地図に対しては、エッジ強調が強くなりすぎないように度合いの小さなエッジ強調処理を行うことができる。
【００３４】
ガンマ補正部１１３は、原稿画像に対するガンマ補正処理を行うものである。ここで、図７は、ガンマ補正処理に用いられる、入力信号に対する出力値（輝度）を得るための所謂ガンマ特性（曲線）の一例を示す図であり、（ａ）は、日本製地図に対するガンマ特性を示し、（ｂ）は、外国製地図（欧州製地図）に対するガンマ特性を示している。
【００３５】
図７に示すガンマ特性の図の横軸は、２５６階調（０階調〜２５５階調）の入力階調値を示し、縦軸は、入力階調値に対する出力階調値を示している。この入力階調値は、図４、５における横軸の濃度を０階調（真黒）〜２５５階調（最大輝度）で示した上記濃度階調値に相当する。
【００３６】
ガンマ補正部１１３は、地図原稿が日本製地図である場合には、この地図原稿の原稿画
像に対して、図７（ａ）に示すようなガンマ特性を用いたガンマ補正処理を行い、地図原稿が外国製地図（欧州製地図）である場合には、図７（ｂ）に示すようなガンマ特性を用いたガンマ補正処理を行う。このように、地図原稿の種類に応じてガンマ特性を使い分けることにより、日本製地図及び外国製地図それぞれに対する、より好適な複写画像を得ることができる。
【００３７】
制御部１０は、複写機１の制御プログラムを記憶するＲＯＭ（Read Only Memory）、一時的にデータを保管するＲＡＭ（Random Access Memory）、及び制御プログラム等を上記ＲＯＭから読み出して実行するマイクロコンピュータ等からなり、操作部４７において入力された指示情報や、本装置の各所に設けられた各種センサからの検出信号に応じて装置全体の制御を行う処理を実行するものである。制御部１０は、モード設定部１０１及び原稿特性判別部１０２を備えている。
【００３８】
モード設定部１０１は、地図原稿のコピーを行う場合のモード（以降、地図モードという）を設定するものである。この地図モードは、例えば、文書・表、写真画像、あるいはグラフィックスといった種々の原稿の画質に適したコピーを行う場合の種々のモード（以降、この種々のモードのことを総称して原稿画質モードという）の中の一つのモードである。
【００３９】
モード設定部１０１に地図モードが設定されていないときには、通常コピーを行う場合のモード（以降、通常モードという）が設定されている。モード設定部１０１は、例えば、ユーザによって操作部４７における図略の地図モードボタンが押下されることによる入力指示に応じて上記地図モードの設定を行う。また、モード設定部１０１は、当該モード設定部１０１に地図モードが設定されると、地図原稿のコピーを行うことが可能な状態となるように複写機１各所の設定変更処理を行う。例えば、モード設定部１０１は、地図モードが設定されると、当該地図モードが設定されたことを示す信号を画像処理部１１に出力し、画像処理部１１を、後述するヒストグラムの作成やエッジ強調処理等の画像処理を行うことが可能な状態にする。
【００４０】
原稿特性判別部１０２は、ヒストグラム作成部１１１によって作成されたヒストグラムに基づいて、読み取られた地図原稿の原稿画像の特性を判別し、地図原稿の種類、すなわち、地図原稿が日本製地図であるか外国製地図であるかの判定を行うものである。
【００４１】
図４、５に示すヒストグラムを用いて、上記日本製地図及び外国製地図の判定について説明する。ここで、日本製地図に対しては例えば図４（ｃ）に示すヒストグラムを用い、
外国製地図に対しては例えば図５（ｃ）のヒストグラムを用いることとする。
【００４２】
図４（ｃ）、図５（ｃ）のヒストグラムに示すように、原稿画像の濃度分布を、濃度値が「０」以上「５０」未満である低濃度領域Ａ、濃度値が「５０」以上「２０６」以下である中濃度領域Ｂ、及び濃度値が「２０６」を超え「２５５」以下である高濃度領域Ｃの３つの領域に分けるとすると、原稿特性判別部１０２は、濃度分布における全濃度成分（低濃度、中濃度、高濃度領域Ａ、Ｂ、Ｃを合わせた領域の合計度数）に対する中濃度成分から高濃度成分まで（中濃度領域Ｂと高濃度領域Ｃとを合わせた領域の合計度数）の割合が、低濃度成分（低濃度領域Ａの度数）の割合より高い場合の地図原稿を、濃い色使いの（濃い色の）地図原稿である外国製地図と判定し、かつ、中濃度成分から高濃度成分までの割合が低濃度成分の割合より低い場合の地図原稿を、淡い色使いの（淡い色の）地図原稿である日本製地図と判定する。
【００４３】
すなわち、原稿特性判別部１０２は、ヒストグラムの度数の総計を示す全体度数（ヒストグラムの全要素数）に対する、当該ヒストグラムにおける所定濃度未満の濃度における度数の合計を示す部分度数（ヒストグラムの部分要素数）の割合が、所定値未満である場合の地図原稿を外国製地図と判定し、かつ、全体度数に対する部分度数の割合が、所定値未満でない（所定値以上である）場合の地図原稿を日本製地図と判定する。
【００４４】
具体的には、例えば、図４（ｃ）のヒストグラムに対しては、斜線領域４０１（低濃度領域Ａ）と非斜線領域４０２（中濃度領域Ｂと高濃度領域Ｃとの合計領域）とを合わせた領域における合計度数が上記全体度数であり、斜線領域４０１における合計度数が上記部分度数となる。また、図５（ｃ）のヒストグラムに対しては、同様に、斜線領域５０１と非斜線領域５０２とを合わせた領域における合計度数が上記全体度数であり、斜線領域５０１における合計度数が上記部分度数となる。そして、全体度数に対する部分度数の割合を「Ｐ」で表すとすると、原稿特性判別部１０２は、以下の式（１）に基づいて図４（ｃ）及び図５（ｃ）のヒストグラムにおける当該「Ｐ」の値を算出し、「Ｐ」の値が例えば６５未満であれば外国製地図と判定し、６５以上であれば日本製地図と判定する。
【００４５】
Ｐ＝｛濃度値「５０」未満における（低濃度領域Ａにおける）部分度数÷全体度数｝×１００ ・・・式（１）
図４（ｃ）の場合は、「Ｐ」の値が６５以上と判別され、すなわち、最低濃度から最高濃度までの全濃度分布に対する、所謂白っぽい色の低濃度の割合が高いと判別され、したがって、淡い色使いの日本製地図と判定される。図５（ｃ）の場合は、「Ｐ」の値が６５未満と判別され、すなわち、全濃度分布に対する白っぽい色の低濃度の割合が低いと判別され（この場合、非斜線領域４０２と比べ、非斜線領域５０２における度数が大きくなっている）、したがって、濃い色使いの外国製地図と判定される。
【００４６】
原稿特性判別部１０２は、このようにして、シアン、マゼンタ及びイエローの各色に対する日本製地図又は外国製地図の判定を行う。ただし、原稿特性判別部１０２は、各色に対するヒストグラムに基づいて上記「Ｐ」の値が６５未満であるか否かの判別を各色に対して行い、「Ｐ」の値が６５未満であると判別された色の数が２つ以上となる場合、すなわち、３つの色において「Ｐ」の値が６５未満となる色の数が多くなる場合を外国製地図と判定し、その他の場合を日本製地図と判定する。
【００４７】
例えば、シアン、マゼンタ及びイエローの各色に対する「Ｐ」を、それぞれ「ＰＣ」、「ＰＭ」、「ＰＹ」とし、或る地図原稿に対して、上記式（１）によって例えばＰＣ：６６、ＰＭ：３２、ＰＹ：２７と算出されたとすると、この場合、シアンのヒストグラムは日本製地図、マゼンタのヒストグラムは外国製地図、及びイエローのヒストグラムは外国製地図であると判別される。したがって、３色のうちで日本製地図と判別された色の数：１個、外国製地図と判別された色の数：２個となるため、当該地図原稿は外国製地図であると判定される。日本製地図と判別された色の数：２個、外国製地図と判別された色の数：１個となる場合には、地図原稿は日本製地図であると判定され、また、３つの色が全て例えば外国製地図であると判別された場合は、当該地図原稿は外国製地図であると判定されることはいうまでもない。
【００４８】
なお、本実施形態においては、「Ｐ」の値が所定値以上となる淡い色使いの地図を日本製地図と称して（判定して）いるが、読み取った地図原稿が実際には日本製地図であったとしても、原稿特性判別部１０２による判別の結果、「Ｐ」の値が所定値未満となり濃い色使いの地図であると判別された場合には、これを外国製地図と称するものとする。
【００４９】
図３は、地図モードにおける複写機の動作の一例を示すフローチャートである。まず、操作部４７の地図モードボタンが押下されることによる入力指示に基づいて、モード設定部１０１に地図モードが設定される（ステップＳ１）。次に、原稿読取部５によって地図原稿の読み取りが行われる（ステップＳ２）。そして、ヒストグラム作成部１１１によって、地図原稿の読み取りによって得られた原稿画像からシアン、マゼンタ及びイエローの各色に対するヒストグラムが作成され（ステップＳ３）、この各ヒストグラムに基づいて
、地図原稿の種類、すなわち、日本製地図であるか外国製地図（欧州製地図）であるかの
判定が原稿特性判別部１０２によって行われる（ステップＳ４）。
【００５０】
地図原稿が外国製地図である場合には（ステップＳ５のＹＥＳ）、エッジ強調処理部１１２によって、エッジ強調の度合いが小さい例えば図６（ｂ）に示すエッジ強調フィルタを用いたエッジ強調処理が行われ（ステップＳ６）、さらに、ガンマ補正処理部１１３によって、例えば図７（ｂ）に示すガンマ特性を用いたガンマ補正処理が行われる（ステップＳ７）。地図原稿が日本製地図である場合には（ステップＳ５のＮＯ）、エッジ強調処理部１１２によって、エッジ強調の度合いが大きい例えば図６（ａ）に示す外国製地図用のエッジ強調フィルタを用いたエッジ強調処理が行われ（ステップＳ８）、さらに、ガンマ補正処理部１１３によって、例えば図７（ａ）に示す日本製地図用のガンマ特性を用いたガンマ補正処理が行われる（ステップＳ９）。
【００５１】
以上のとおり、本発明の画像処理装置によれば、地図として作成された地図原稿が原稿読取部５によって読み取られ、この読み取られた原稿画像のヒストグラム（濃度分布特性）がヒストグラム作成部１１１によって作成される。そして、ヒストグラム作成部１１１によって作成されたヒストグラムに基づいて、地図原稿の特性が原稿特性判別部１０２によって判別され、この判別結果に応じて、原稿画像に対するエッジ強調の度合いが変更されたエッジ強調処理がエッジ強調処理部１１２によって行われる。そして、当該エッジ強調処理が施された原稿画像が記録部４０によって用紙に印刷される。このように、読み取られた地図原稿の特性に基づいて各原稿画像に対するエッジ強調処理が行われ、このエッジ強調処理が行われた原稿画像が印刷されるため、よって、地図原稿の種類に応じた好適な複写画像を得ることができる。
【００５２】
また、原稿特性判別部１０２によって、ヒストグラムにおける全濃度成分に対する中濃度成分から高濃度成分までの割合が低濃度成分の割合より高い場合の地図原稿が、濃い色の地図原稿である外国製地図（第１の地図原稿）と判定され、かつ、中濃度成分から高濃度成分の割合が低濃度成分の割合より低い場合の地図原稿が、淡い色の地図原稿である日本製地図（第２の地図原稿）と判定される。そして、この外国製地図の原稿画像に対して、日本製地図の原稿画像に対するエッジ強調の度合いよりも小さい度合いのエッジ強調となるエッジ強調処理がエッジ強調処理部１１２によって行われる。このように、低濃度成分の割合に対する中濃度成分から高濃度成分の割合の高低に基づいて、外国製地図と日本製地図とが区別されるため、よって、地図原稿の種類の判定を容易に行うことができる。
【００５３】
また、外国製地図の原稿画像に対して、日本製地図に対してよりも度合いが小さいエッ
ジ強調処理が行われるため、濃い色の地図原稿（外国製地図）の複写画像の視認性が、当
該エッジ強調処理によって低下するのを防止することができる。
【００５４】
また、原稿特性判別部１０２によって、ヒストグラムにおける度数の総計を示す全体度数に対する、当該ヒストグラムにおける所定濃度未満の度数の合計を示す部分度数の割合が、所定値未満である場合の地図原稿が外国製地図と判定され、かつ、所定値未満でない場合の地図原稿が日本製地図と判定される。よって、ヒストグラムを用いて、地図原稿の種類の判定をより容易に行うことができる。
【００５５】
また、ヒストグラム作成部１１１によって作成されたシアン、マゼンタ及びイエローの各色に対するヒストグラムに基づいて、全体度数に対する部分度数の割合が所定値未満であるか否かの判別が各色に対して原稿特性判別部１０２によって行われ、当該割合が所定値未満であると判別された色の数が２以上の場合に外国製地図と判定され、その他の場合に日本製地図と判定される。よって、これらシアン、マゼンタ及びイエローといった複数のヒストグラムを用いて、地図原稿の種類の判定をより確実に行うことができる。
【００５６】
また、エッジ強調処理に加えて、外国製地図及び日本製地図それぞれの原稿画像に対するガンマ補正処理も施すことができるため、よって、地図原稿の種類に応じた、より好適な複写画像を得ることができる。
【００５７】
なお、本発明は以下の態様をとることができる。
（Ａ）本実施形態においては、シアン、マゼンタ及びイエローの各色に対する３つのヒストグラムを作成し、当該３つのヒストグラムに基づいて地図原稿の種類の判定を行う構成であるが、３つ未満又は４つ以上の個数のヒストグラムを作成して地図原稿の種類の判定を行う構成であってもよい。４つ以上のヒストグラムを作成する場合、例えばヒストグラムを５つ（奇数個）作成し、全体度数に対する部分度数の割合が、所定値（例えば６５）未満であるか否かの判別を各色に対して行い、当該割合が所定値未満であると判別された色の数が３以上となる場合（多くなる場合）に外国製地図と判定し、そうでない場合を日本製地図と判定するような構成であってもよい。なお、５つより多い奇数個のヒストグラムを作成する場合も同様にして日本製地図又は外国製地図の判定を行ってもよい。
【００５８】
（Ｂ）本実施形態においては、原稿画像に対してエッジ強調処理を行うとともに、ガンマ補正処理を行う構成であるが、ガンマ補正処理は行わない構成であってもよい。あるいは、エッジ強調処理の他に、ガンマ補正処理以外の画像処理を行う構成であってもよい。また、エッジ強調処理を行うとともに、ガンマ補正処理、及びガンマ補正処理以外の画像処理を行う構成であってもよい。
【００５９】
（Ｃ）本実施形態においては、濃度分布（ヒストグラム）を低濃度、中濃度、高濃度領域Ａ、Ｂ、Ｃの３つに区分し、全濃度領域における全体度数に対する、低濃度領域Ａにおける部分度数の割合によって外国製地図又は日本製地図の判別を行う構成であるが、全濃度領域における全体度数に対する、中濃度領域Ｂあるいは高濃度領域Ｃの部分度数によって当該判別を行う構成であってもよい。また、全濃度領域における全体度数に対する、低濃度領域Ａと中濃度領域Ｂとを合わせた領域あるいは、これ以外の各濃度領域が組み合わされてなる領域の部分度数によって、当該判別を行う構成であってもよい。
【００６０】
（Ｄ）本実施形態においては、濃度分布を低濃度、中濃度、高濃度領域Ａ、Ｂ、Ｃの３つの領域に区分しているが、３つより多い領域、あるいは２つの領域（例えば低濃度と高濃度との２つの領域）に区分してもよい。この場合も、上記（Ｃ）の態様と同様にして、全体度数に対する、各濃度領域（又はこの組み合わせによる領域）の部分度数の割合によって、外国製地図又は日本製地図の判別を行う構成であってもよい。
【図面の簡単な説明】
【００６１】
【図１】本発明の一実施形態に係る画像処理装置の一例である複写機の内部構成を概略的に示す断面図である。
【図２】複写機の概略構成を示すブロック図である。
【図３】地図モードにおける複写機の動作の一例を示すフローチャートである。
【図４】日本製地図に対するヒストグラムの一例を示す図であり、（ａ）は、シアンのヒストグラム、（ｂ）は、マゼンタのヒストグラム、（ｃ）は、イエローのヒストグラムを示す図である。
【図５】外国製地図の一例である欧州製地図に対するヒストグラムの一例を示す図であり、（ａ）は、シアンのヒストグラム、（ｂ）は、マゼンタのヒストグラム、（ｃ）は、イエローのヒストグラムを示す図である。
【図６】エッジ強調フィルタの一例を示す図であり、（ａ）は、日本製地図に対するエッジ強調フィルタを示し、（ｂ）は、外国製地図（欧州製地図）に対するエッジ強調フィルタを示す図である。
【図７】ガンマ補正処理に用いられるガンマ特性の一例を示す図であり、（ａ）は、日本製地図に対するガンマ特性を示し、（ｂ）は、外国製地図（欧州製地図）に対するガンマ特性を示す図である。
【符号の説明】
【００６２】
１  複写機（画像処理装置）
５  原稿読取部（読み取り手段）
６  原稿給送部
７  画像メモリ
８  ＨＤＤ
１０  制御部
１０１  モード設定部
１０２  原稿特性判別部（原稿特性判別手段）
１１  画像処理部
１１１  ヒストグラム作成部（濃度分布特性作成手段）
１１２  エッジ強調処理部（エッジ強調処理手段）
１１３  ガンマ補正処理部（ガンマ補正処理手段）
４０  記録部（印刷手段）
４７  操作部
４７３  表示器
【図１】
2005079787.tif 000003
【図２】
2005079787.tif 000004
【図３】
2005079787.tif 000005
【図４】
2005079787.tif 000006
【図５】
2005079787.tif 000007
【図６】
2005079787.tif 000008
【図７】
2005079787.tif 000009